(57)【特許請求の範囲】
【請求項１】
試料を保持するロータを回転させる駆動部と、前記ロータの回転を制御する制御部と、
入力を受け付ける操作部と、運転状況を示す情報を表示する表示部を有し、入力された条件下で前記ロータを回転させる遠心機において、
前記表示部は明るさを調整する機能を有し、
前記操作部による入力が所定時間行われない際には前記明るさを落とす減光モードを設け、
前記操作部による入力が前記所定時間行われない場合であっても前記ロータの加速時および減速時には減光させないことを特徴とする遠心機。
【請求項２】
前記操作部および前記表示部は、バックライトを有するタッチパネル式の液晶ディスプレイであることを特徴とする請求項１に記載の遠心機。
【請求項３】
前記操作部および前記表示部は、タッチパネル式のＥＬディスプレイであることを特徴とする請求項１に記載の遠心機。
【請求項４】
前記減光モードの実行を、前記ロータの停止中、又は／及び、運転中のいずれかに設定可能であることを特徴とする請求項１に記載の遠心機。
【請求項５】
前記減光モードを実行させるための前記所定時間を前記操作部から設定可能としたことを特徴とする請求項１から４のいずれか一項に記載の遠心機。
【請求項６】
前記減光モードを実行中に、前記ロータの加速または減速への状態変化が生じた際には落とした明るさを元に戻すことを特徴とする請求項１から５のいずれか一項に記載の遠心機。
【請求項７】
前記減光モードを実行中に前記遠心機に異常が生じた際には、落とした明るさを最大にすることを特徴とする請求項１から５のいずれか一項に記載の遠心機。
【発明の詳細な説明】
【技術分野】
【０００１】
本発明は、回転体（ロータ）を高速で回転させる遠心機に関し、特に遠心運転の条件等を表示する表示装置の制御に関するものである。
【背景技術】
【０００２】
遠心機は、試料を収容したロータを高速回転させることにより試料の分離等を行う公知の装置である。ユーザは分離する試料にあわせて、ロータの回転数、運転時間（遠心分離時間）、保持温度、加速勾配、減速勾配等の種々の運転条件を、入力装置から入力する。
また、特許文献１にて示すように、遠心機の遠心分離運転中には、表示装置に設定した条件や実際の状態を表示する。これらの表示は、平面型ディスプレイと呼ばれるＬＣＤ（液晶ディスプレイ）等を用いて多機能表示するケースが増えている。
【０００３】
ここで図７を用いて、従来の遠心機（遠心分離機）における表示部の調整画面を説明する。図７は従来例の遠心機における表示部の表示画面を示す図である。画面１２１には、複数のタブ（“Ｒｕｎ  Ｓｃｒｅｅｎ”、“Ｍｅｎｕ”、“Ｃｕｓｔｏｍ”）が設けられ、このうちのＣｕｓｔｏｍから“バックライト設定”を選択すると図７に示す画面１２１となる。従来の遠心機ではバックライト付きの液晶ディスプレイが用いられ、図７に示す画面１２１からユーザはバックライトの明るさを調整できるように構成される。図７に示す例では、バックライトの明るさは１０段階に調整可能であって、Ｄｏｗｎ用アイコン１３４又はＵＰ用アイコン１３５を指でタッチすることにより、バックライトの明るさを１０段階に設定可能である。ユーザは設定された明るさがどの状態であるかは、左側から右側にかけて並んだ１０段階の表示バー１３０の表示態様によって識別できる。図７の状態では左から７つ分のバーが明るく表示されている状態を示している。右側の黒い３つのバーは表示されていない状態（暗い状態）を示している。このように１０段階の調整が可能としたことで、顧客（ユーザ）の意向や据付環境（周囲の明るさ）などに応じた最適な表示状態とすることができた。
【０００４】
図８は従来の遠心機における表示制御の動作タイムチャートを示す図である。縦軸はロータの回転速度（単位ｒｐｍ）、表示部におけるユーザによる操作（キー操作）の状況、表示輝度の大きさ（ＭＡＸ〜ＭＩＮ、バックライトＯＦＦ）を示しており、横軸は共に時間の推移を示している。ここでは、回転速度１４１の曲線に示すように、時刻ｔ１においてモータが起動してロータが加速状態に移行し、時刻ｔ２において整定状態に移行し、時刻ｔ３から減速状態に移行して、時刻ｔ４でロータの回転が停止する。この際、ユーザは太線１４２で示すタイミングにおいて入力操作（キー操作）を行うが、そのキー操作にかかわらずに、表示部の表示輝度１４３は図７においてユーザによって設定された明るさで一定である。ここでは、図７で示したように最大輝度（ＭＡＸ、図７のすべてのバーが明るく表示されている状態）と、最小輝度（ＭＩＮ、図７の左側１つだけのバーが明るく表示されている状態）の間のユーザによって設定された輝度で表示される。
【先行技術文献】
【特許文献】
【０００５】
【特許文献１】特開２０００−３０１０２９号公報
【発明の概要】
【発明が解決しようとする課題】
【０００６】
近年の省エネルギー意識の一層の高まりから、遠心機においても種々の省エネ機能が実現されてきたが、発明者らはパーソナルコンピュータやその他の機器における表示部のように、液晶バックライトの自動消灯機能を採用することを検討した。しかしながら、遠心機においては、どのようなタイミングで消灯させたら良いか、検討すべき課題があった。また、安全性の面からロータ運転中に運転状態を表示しておくことが必須であり、バックライトを消灯して表示内容が視認できないと好ましくないことがわかった。
【０００７】
本発明は上記背景に鑑みてなされたもので、その目的は、ロータの回転中において運転状況の表示を阻害しないように表示部のライトを減光するようにして、省エネルギー機能を実現した遠心機を提供することにある。
【０００８】
本発明の他の目的は、ロータの回転状況に応じて表示部の減光又は消灯機能を動作させるようにした遠心機を提供することにある。
【０００９】
本発明のさらに他の目的は、ユーザによるロータの回転状態の識別を阻害しないように構成した減光モードを有する遠心機を提供することにある。
【課題を解決するための手段】
【００１０】
本願において開示される発明のうち代表的なものの特徴を説明すれば次の通りである。
【００１１】
本発明の一つの特徴によれば、試料を保持するロータを回転させる駆動部と、ロータの回転を制御する制御部と、入力を受け付ける操作部と、運転状況を示す情報を表示する表示部を有し、入力された条件下でロータを回転させる遠心機において、表示部は明るさを調整する機能を有し、操作部による入力が所定時間行われない際には明るさを落とすように制御する減光モードを設けた。操作部および表示部は、バックライトを有するタッチパネル式の液晶ディスプレイ、又は、タッチパネル式のＥＬディスプレイで構成できる。
【００１２】
本発明の他の特徴によれば、操作部による入力が所定時間行われない場合であってもロータの加速時および減速時には減光させないように制御するようにした。また、減光モードの実行を、ロータの停止中、又は／及び、運転中のいずれかに設定可能とした。また、減光モードを実行させるための所定時間を操作部から設定可能とし、減光モードを実行中にロータの加速または減速への状態変化が生じた際には落とした明るさを元に戻すようにした。さらに、減光モードを実行中に遠心機に異常が生じた際には、落とした明るさを元に戻すようにした。
【発明の効果】
【００１３】
請求項１の発明によれば、表示部は明るさを調整する機能を有し、操作部による入力が所定時間行われない際には明るさを落とす減光モードを設けたので、消費エネルギーを節約することができる遠心機を実現できる。また、操作部による入力が所定時間行われない場合であってもロータの加速時および減速時には減光しないので、ロータの回転変動中であって監視されることが好ましい状態のときには表示部を見やすい状態に維持できる。
請求項２の発明によれば、操作部および表示部はバックライトを有するタッチパネル式の液晶ディスプレイであるので、減光モードによってバックライトの寿命を延ばすことができる。
請求項３の発明によれば、操作部および表示部はタッチパネル式のＥＬディスプレイであるので、ユーザによる監視の必要性が低くなった際に効果的に減光でき、暗い部屋での運転等において必要以上にまぶしくない、使い勝手の良い遠心機を実現できる。
請求項４の発明によれば、減光モードの実行をロータの停止中、又は／及び、運転中のいずれかに設定可能であるので、ユーザによる監視の必要性が低い状態のときに減光させることができる。
請求項５の発明によれば、減光モードを実行させるための所定時間を操作部から設定可能としたので、ユーザの好みに合わせた使い勝手の良い減光モードを実現することができる。
請求項６の発明によれば、減光モードを実行中にロータの加速または減速への状態変化が生じた際には落とした明るさを元に戻すので、ユーザは表示部の減光状態の解除により遠心機の運転状態が変化したことを容易に認識することができる。
請求項７の発明によれば、減光モードを実行中に遠心機に異常が生じた際には落とした明るさを元に戻すので、異常の発生を見落とす恐れを少なくできる。
【００１４】
本発明の上記及び他の目的ならびに新規な特徴は、以下の明細書の記載及び図面から明らかになるであろう。
【図面の簡単な説明】
【００１５】
【図１】本発明の実施例に係る遠心機１の全体構成の概略を示す断面図である。
【図２】操作表示部２０に表示される表示画面の一例であって、バックライトの明るさ設定時の画面である。
【図３】操作表示部２０に表示される表示画面の一例であって、エコモードの設定時の画面である。
【図４】本実施例の遠心機１における表示制御の動作タイムチャートである。
【図５】本実施例の遠心機１における表示制御手順を示すフローチャートである。
【図６】第２の実施例における操作表示部２０に表示される表示画面の一例である。
【図７】従来の遠心機の表示画面の一例であって、エコモードの設定時の画面である。
【図８】従来の遠心機の表示制御の動作タイムチャートを示す図である。
【発明を実施するための形態】
【実施例１】
【００１６】
以下、本発明の実施例を図面に基づいて説明する。なお、以下の図において同一の部分には同一の符号を付し、繰り返しの説明は省略する。
【００１７】
図１は本発明の実施例に係る遠心機１の全体構成の概略を示す断面図である。遠心機１は、本体内部に回転室５を備え、回転室５はドア３により閉塞され、回転室５の下には駆動源としてモータ４が設けられる。モータ４から回転トルクを伝達するシャフト（出力軸）１６が回転室５内まで突出するように延び、シャフト１６の先端に設けられたクラウン１７にロータ２がセットされる。シャフト１６の周囲にはモータ４内部への水分等の侵入防止のため略円筒形状のシャフトケース１４が配置される。冷却装置１８はチャンバ１３の外周に巻きつけられた冷却配管１８ａに冷媒を流すことによって回転室５内を冷却するものであって、フロンガスなどを冷媒とする冷凍サイクルが用いられる。冷凍サイクルのコンプレッサとしては様々な方式があるが、インバータを用いた可変速コンプレッサを搭載すると冷却能力の向上が図れるので好ましい。チャンバ１３と冷却配管１８ａの周囲、および回転室５を閉塞するドア３の内部には図示しない断熱材が設けられる。
【００１８】
制御装置７は温度センサ１５によって検出された回転室５の温度に基づいて冷却装置１８を駆動制御し、回転室５を所定の温度に制御する。また制御装置７は、モータ４および冷却装置１８の制御だけでなく操作表示部２０への各種情報の表示と入力データの取得等の遠心機１の運転に伴う全体の制御を行う。操作表示部２０は、バックライトを有するタッチパネル式の液晶ディスプレイを用いると遠心条件等のユーザによる入力を受け付ける操作部と、運転状況を示す情報を表示する表示部を一体で実現できるので、効率的に設置できる上に使いやすい遠心機とすることができる。尚、操作表示部２０の構成はバックライトを有するタッチパネル式の液晶ディスプレイを用いた一体構成だけに限られずに、操作部をボタン又はキーボード等の入力部で実現して、表示部を輝度または明るさを調整可能なディスプレイ装置、ランプ装置、その他の表示装置とし、入力部と表示部の一部又は全部を分離させた構成としても良い。
【００１９】
図２は操作表示部２０に表示される表示画面の一例であって、バックライト設定時の画面２１である。画面２１には、複数のタブ（“Ｒｕｎ  Ｓｃｒｅｅｎ”、“Ｍｅｎｕ”、“Ｃｕｓｔｏｍ”）が設けられ、このうちのＣｕｓｔｏｍから“バックライト設定”を選択すると図面に示す画面となる。この画面２１からユーザがバックライトの明るさを調整できるように構成される点は図７で示した従来例と同じである。バックライトの明るさは１０段階に調整可能であって、Ｄｏｗｎ用アイコン３４又はＵＰ用アイコン３５を選択（例えばユーザが指でアイコンをタッチ）することにより、バックライトの明るさを１０段階に設定できる。ユーザは設定された明るさがどの状態であるかは、左側から右側にかけて並んだ１０段階の表示バー１３０の表示態様によって識別できる。図では左から７つ分のバーが明るく表示されている状態を示している。Ｄｏｗｎ用アイコン３４又はＵＰ用アイコン３５は、図７で示したＤｏｗｎ用アイコン１３４又はＵＰ用アイコン１３５と表示位置が異なるものの、アイコンを選択された際の動作は図７で示した従来例と同じである。本実施例においては、画面２１の左側下方においてアイコン３６を設けた。アイコン３６は、本実施例に係る省エネルギー機能を有効又は無効にする切り替えスイッチの機能を果たす。図２においては、アイコン３６を木の葉のイラストとｅｃｏという文字の組み合わせによって作成したが、エコアイコン自体のデザインは任意である。アイコン３６の下側には、本実施例に係る省エネルギー機能（減光モード）が“有効”（設定されている状態）か、“無効”（設定されていない状態）か、を示す文字３６ａが表示される。図２の状態ではアイコン３６が薄く示され、その状態が“無効”であることを文字３６ａによって表示される。この画面においてユーザがアイコン３６をタッチすると省エネルギー機能（減光モード）が“有効”に切り替わり図３の表示状態になる。
【００２０】
図３は操作表示部２０に表示される表示画面の一例であって、バックライト設定時の画面である。図２の表示状態からユーザがアイコン３６をタッチして選択することにより、省エネルギー機能（減光モード）が“有効”になり、アイコン３６の表示状態が明るい表示となる。また、文字３６ａが省エネルギー機能が設定されていることを示す“有効”に切り替わる。アイコン３６の右側には、省エネルギー機能が起動するまでの待ち時間３７の設定窓が表示される。この待ち時間は、何らかのアクションから省エネルギー機能が起動するまでの時間であって、なんらかのアクションから次のアクションに至る前に待ち時間が経過したら本実施例に係る操作表示部２０を“減光”させる。この待ち時間３７（本図では１５分）はユーザによって任意に設定可能であり、ユーザが待ち時間３７の設定窓を選択（例えば指でタッチ）することにより、数値を入力する画面がポップアップ表示されるが、この数値を入力する画面については公知の方法を用いれば良いので説明を省略する。待ち時間３７の設定窓の右側には、“減光”する状況を、ロータ２の停止中のみに限定するチェックボックス３８、ロータ２の停止中のみならず運転中も減光するためのチェックボックス３９を表示する。ユーザはチェックボックス３８又は３９のいずれか一方をタッチすることにより選択することにより、どのような場合に減光モードを実行するかを指定できる。図３の画面では、何らかのアクションから次のアクションが行われることなく１５分が経過したら、操作表示部２０のバックライトを減光するが、この減光はロータ２の停止中にのみ行われ、ロータ２が回転中においては減光させない状況を示している。
【００２１】
図４は本実施例の遠心機１における表示制御の動作タイムチャートを示す図である。縦軸はロータ２の回転速度（単位ｒｐｍ）、操作表示部２０におけるユーザによる操作（キー操作）の状況、表示輝度の大きさ（設定輝度、最大輝度ＭＡＸ、最小輝度ＭＩＮ、バックライトＯＦＦ）を示しており、横軸は共に時間の推移を示している。ここでは、回転速度４１の曲線に示すように、時刻ｔ５においてモータ４が起動してロータ２が加速状態に移行し、時刻ｔ６において整定状態に移行し、時刻ｔ１２から減速状態に移行して、時刻ｔ１３でロータ２の回転が停止する。この際、ユーザは太線４２で示すタイミングにおいて操作表示部２０への入力操作を行っており、制御装置７はその操作状況を監視する。そして、入力操作が終わってからの経過時間を監視し、第１の閾値（時間Ｔ１）、第２の閾値（時間Ｔ２、但しＴ２＞Ｔ１）が経過したかどうかを判定して、経過した場合に所定の制御（バックライト減光、またはバックライト消灯）を行う。
【００２２】
例えば時刻ｔ１においてユーザによるキー操作が行われると、制御装置７はその後の経過時間を監視し、時刻ｔ２において所定時間Ｔ１が経過したことを判定したら、バックライトの輝度を最小レベル（ＭＩＮ）に落とすことにより表示部の減光を行う。さらに制御装置７は、時刻ｔ１のキー操作からの経過時間を監視し、時刻ｔ３において経過時間（＝ｔ３―ｔ１）がＴ２に到達したらバックライトを消灯する。次に時刻ｔ４においてユーザにより再び操作表示部２０がタッチされると、制御装置７は消灯していたバックライトを点灯させる。この点灯の時の輝度はＭＩＮからＭＡＸの間であって図３の画面２２にて設定された明るさである。また、Ｔ２はＴ１に所定の時間を足した値として、例えばＴ２＝Ｔ１＋１０（ｍｉｎ）とすれば良いが、Ｔ２もＴ１と独立して設定可能に構成しても良い。
【００２３】
次にユーザによるキー操作が行われると、制御装置７によってその行われた時間から経過時間が監視される。尚、この監視において時間Ｔ１に達する前に次のキー操作が行われた場合には、経過時間のカウントアップがクリアされ、再びカウントアップが行われる。ここで、本実施例ではキー操作がない時間のカウントアップにおいて、ロータ２の回転が一定でない場合はカウントアップを行わないように構成した。これは、バランス不良などの何らかの原因による異常発生は、主にロータの回転変動中に起こりやすいという経験則から、ロータの回転変動中には操作表示部２０での表示が常に把握できる状態に保ちたいためである。本実施例ではロータ２の加速が完了した時刻ｔ６から制御装置７によるキー操作間隔時間の監視が再開され、時刻ｔ６から時間Ｔ１が経過した時刻ｔ７においてバックライトを減光させて最小輝度状態（ＭＩＮ）にする。制御装置７は経過時間の監視を続けて行うが、時刻ｔ６より時刻Ｔ２が経過した時刻ｔ８においてはバックライトを消灯させないようにした。これはロータ２の回転中は必ず回転状態の監視が必要であるため、バックライトが最小であってもユーザが表示内容を確認できる状態を維持したいためである。このように構成することにより、使い勝手だけでなく安全性を保った遠心機を実現できる。
【００２４】
時刻ｔ９においてユーザによって再びキー操作が行われると、制御装置７は減光していたバックライトを設定輝度に復帰させる。この点灯の時の輝度はＭＩＮからＭＡＸの間であって図３の画面２２にて設定された明るさである。そして、制御装置７によるキー操作間隔時間の監視が再開され、時間Ｔ１経過後の時刻ｔ１１において再びバックライトを減光させて最小輝度状態（ＭＩＮ）にする。次に、時刻ｔ１２においてロータ２が減速状態になると、制御装置７によるキー操作間隔時間の監視を中断し、時刻ｔ１３においてロータ２が停止してからキー操作間隔時間の監視を再開する。そして、時刻ｔ１３より時刻Ｔ１が経過した時刻ｔ１４においてバックライトを減光させて最小輝度状態（ＭＩＮ）にする。次に、時刻ｔ１５においてユーザによりキー操作が行われたので、バックライトを制御装置７は減光していたバックライトを設定された輝度にて点灯させる。尚、遠心分離運転の終了時（ロータ２の所定回転終了後）においては、ユーザがドアを開けるまではバックライトを減光又は消灯させないように構成して、ユーザに対して運転が終了したことを促すように構成しても良い。
【００２５】
次に、図５のフローチャートを用いて、本実施例の遠心機１における表示制御手順を説明する。図５で示す制御は、例えば、マイクロコンピュータ（汎用マイコンなど）を有する制御装置７においてプログラムを実行することによりソフトウェア的に実行できる。図５に示すフローチャートは遠心機１の電源がオンにされると起動し、電源がオンの最中にはバックグランドにて実行される。まず、遠心機１の電源がオンになると制御装置７は減光タイマをゼロクリアする（ステップ５１）。この減光タイマは、何らかのアクションからの経過時間をカウントするための積算手段であって、本実施例ではマイコンに含まれるタイマ手段を用いて実現できる。次に、制御装置７は、減光タイマによるカウントを行う（カウントアップ、ステップ５２）。
【００２６】
次に制御装置７は、エラーが発生したが否かを判定する（ステップ５３）。ここでいうエラーとは、遠心離の運転の際に制御装置７によって監視される制御事項の異常状態であって、例えば何らかの原因によるロータ２の異常発生による停止、ロータ２の加速不良や回転不良、チャンバ室内の温度異常等である。このようなエラーが発生した場合は、制御装置７は操作表示部２０の輝度を最大に設定してユーザに対して注意を促し（ステップ６０）、ステップ５１に戻る。尚、この際に輝度を最大に設定するだけでなく設定輝度に戻すだけにして代わりに音を出したり操作表示部２０にエラー表示をしたりするようにしても良い。また、輝度を最大に設定した上で操作表示部２０へのエラー表示をするように構成しても良い。
【００２７】
次に、制御装置７はロータ２が加速中又は減速中であるかを判定する（ステップ５４）。ここでロータ２が加速中又は減速中であるということは、ユーザによって注視すべき状態であるので減光状態に移行させずに、図２の画面２１でユーザによって設定された輝度、すなわちバックライト設定によって表示し（ステップ６１）、ステップ５１に戻る。ステップ５４において、ロータ２が加速中でも減速中でもない場合、例えば停止中又は定速回転中（整定中）の場合は、制御装置７は減光モードがＯＮ（有効）であるかどうかを判定する（ステップ５５）。この減光モードのＯＮ又はＯＦＦは、図２のアイコン３６の選択状態によって判定でき、減光モードがＯＦＦ（有効）の場合は図２の画面２１でユーザによって設定された輝度、すなわちバックライト設定によって表示し（ステップ６１）、ステップ５１に戻る。
【００２８】
ステップ５５において減光モードがＯＮの場合は、制御装置７はユーザによる操作表示部２０の操作があったかどうかを判定し（ステップ５６）、操作があった場合は図２の画面２１でユーザによって設定された輝度、すなわちバックライト設定によって表示し（ステップ６１）、ステップ５１に戻る。ステップ５６において、操作がなかった場合はカウント中の減光タイマの値が、設定された時間Ｔ２よりも大きいか否かを判定し（ステップ５７）、大きい場合はロータ２が停止中であるか否かを判定し（ステップ５８）、ロータ２が停止中である場合はバックライトを消灯し（ステップ５９）、ステップ５２に戻る。ロータ２が停止中であるか否かは、制御装置７は図示しない回転検出センサにてモータ４の回転をリアルタイムでモニターするという公知の回転検出手段の出力から容易に判断できる。尚、操作表示部２０に用いられる液晶ディスプレイの種類によっては、バックライトの消灯を行うと画面が全く見えない状態になるがロータ２の回転が停止中の場合は、画面が見えない状態となっても問題は生じない。
【００２９】
ステップ５８において、カウント中の減光タイマの値が、設定された時間Ｔ２よりも大きく、かつ、ロータ２が回転中である場合は、制御装置７はバックライトの設定を最小（図２において表示バー１３０が左側１つだけつく設定状態）にして操作表示部２０での表示を行い（ステップ６３）、ステップ５２に戻る。
【００３０】
ステップ５７において、カウント中の減光タイマの値が、設定された時間Ｔ２と等しいか、又は小さい場合は、減光タイマがＴ１よりも大きいかを判定し（ステップ６２）、大きい場合に制御装置７はバックライトの設定を最小（図２において表示バー１３０が左側１つだけつく設定状態）にして操作表示部２０での表示を行い（ステップ６３）、ステップ５２に戻る。ステップ６２においてＴ１と等しいか又は小さい場合は、制御装置７はバックライトの設定を図２においてユーザによって設定された輝度に従って操作表示部２０の表示を行い（ステップ６４）、ステップ５２に戻る。尚、減光又は消灯されたバックライトは、ユーザが再び操作表示部からの入力を行うか、ロータ２の回転状態の変化（停止から加速状態へ、または、定速回転から減速状態への移行）が生じた場合にステップ６１によってユーザによって設定された輝度によって表示される。
【００３１】
以上説明したように、本実施例においては表示部の減光モードをオンにするかどうかを設定可能とし、設定がオン（有効）の場合においては、所定時間の入力部の無操作状況が続いたら減光させるようにしたので、消費エネルギーを節約することができる上に、バックライトの寿命を延ばすことができる。さらに、減光モードの設定がオン（有効）の場合であって、減光状態が続いて第２の閾値（時間Ｔ２）が経過したら、ロータ２の回転が停止中の場合に限ってバックライトを消灯するようにしたので、更なる省エネルギーを実現できる。尚、ロータ２の回転にはバックライトは必ず表示されるように構成されるので、ロータ２の回転中においてユーザは表示部（操作表示部２０）から運転状況を確認することができる。
【実施例２】
【００３２】
図６は第２の実施例における操作表示部２０に表示される表示画面の一例である。第２の実施例においてはバックライトの消灯を行わない場合のバックライト設定時の画面２３である。ここでは図２の表示画面と同じ機能の表示又はアイコンには同じ参照符号を付している。アイコン３６は、本実施例に係る省エネルギー機能を有効又は無効にする切り替えスイッチの機能を果たす点は同じであるが、その待ち時間（第１の閾値Ｔ１）を設定可能としたものの、図３で示した停止中のみ減光するか、運転中も減光するかを選択する画面はない。また、バックライトの減光を行うのをロータ２の停止中のみに限定して、ロータ２の回転中においては、加速中、整定中、減速中のいずれの場合であってもバックライトの減光を行わないように構成した。このように構成すればユーザはバックライトが消灯しているときは、ロータ２が回転しない状態と一義的に判断することができるので、特定用途のユーザによっては大変使いやすい遠心機が実現できる。また、ロータ２の回転中においては必ずバックライトが点灯するので、操作表示部２０に表示される内容を即座に視認することができる。
【００３３】
以上、本発明を実施例に基づいて説明したが、本発明は上述の実施例に限定されるものではなく、その趣旨を逸脱しない範囲内で種々の変更が可能である。例えば上述の実施例では、表示部としてバックライト付きの液晶ディスプレイを用いて説明したが、液晶ディスプレイだけに限られずに、タッチパネル式のＥＬディスプレイ（エレクトロルミネッセンスディスプレイ）、又は、その他の明るさ、輝度等を変更できる任意の表示手段にて実現しても良い。また、減光モードを動作する状況や、待ち時間などをロータの種類、設定回転速度、設定温度等の条件に応じてさらにきめ細かく制御できるように構成しても良く、制御装置はユーザによる監視が必要な状況であるかどうか、例えば回転室５の温度状況などに応じて減光モードの実行を判断するように構成しても良い。
【符号の説明】
【００３４】
１  遠心機                              ２  ロータ
３  ドア                                ４  モータ
５  回転室                              ７  制御装置
１３  チャンバ                          １４  シャフトケース
１５  温度センサ                        １６  シャフト
１７  クラウン                          １８  冷却装置
１８ａ  冷却配管                        ２０  操作表示部
２１、２２、２３  画面                  ３４  Ｄｏｗｎ用アイコン
３５  ＵＰ用アイコン                    ３６  アイコン
３６ａ  文字                            ３７  待ち時間
３８、３９  チェックボックス            ４１  回転速度
４２  太線（キー操作）                  ４３  表示輝度（設定の明るさ）
１２１  画面                            １３０  表示バー
１３４  Ｄｏｗｎ用アイコン              １３５  Ｕｐ用アイコン
１４１  回転速度                        １４２  太線（キー操作）
１４３  表示輝度
【図１】
0005949155.tif 000002
【図２】
0005949155.tif 000003
【図３】
0005949155.tif 000004
【図４】
0005949155.tif 000005
【図５】
0005949155.tif 000006
【図６】
0005949155.tif 000007
【図７】
0005949155.tif 000008
【図８】
0005949155.tif 000009